(57)【特許請求の範囲】
【請求項１】
上側の堅樋が差込み接続される上部接続口と、この上部接続口の下端に設けられた下広がりの筒部と、この下広がりの筒部の下端の差込み口とを一体に形成した上側部材と、
下側の堅樋が差込み接続される下部接続口と、この下部接続口の上端に設けられた上広がりの筒部と、この上広がりの筒部の上端の差込み口とを一体に形成した下側部材と、
内側に下広がりの筒部の内面に沿って流下する雨水を受ける環状溝部を一体に形成すると共に、この環状溝部に連通し且つ底面が環状溝部の底面より低い取水口部を外側に一体形成し、上側部材の差込み口と下側部材の差込み口が上下の開口部に差し込まれる中間部材と、
からなることを特徴とする取水装置。
【請求項２】
環状溝部の内径が、堅樋の内径と同一、若しくはそれ以上であることを特徴とする請求項１に記載の取水装置。
【請求項３】
下広がりの筒部の広がり角度が、１５°〜４０°であることを特徴とする請求項１又は請求項２に記載の取水装置。
【請求項４】
環状溝部の底面が、取水口部側で最も低くなるように形成されていることを特徴とする請求項１ないし請求項３のいずれかに記載の取水装置。
【請求項５】
環状溝部の取水口部側の底面に雨水抜き部を形成し、その外側に雨水溜壁を形成したことを特徴とする請求項１ないし請求項４のいずれかに記載の取水装置。
【発明の詳細な説明】
【技術分野】
【０００１】
本発明は、堅樋から流下する雨水を取水して、その取水した雨水を雨水貯溜槽に貯溜するための取水装置に関するものである。
【背景技術】
【０００２】
近年、地球温暖化による気候変動で、日本の気候も亜熱帯地方に近づいてきている。それに伴い、乾期には殆ど雨が降らず、ダムや湖の水位が低下して水不足となるため、各地で水道水の給水制限が実施され、庭の植物に充分量の水を与えることも難しくなっている。また、気候変動に伴い、一時に大量の雨が降ることも珍しくなくなってきている。このように大量に雨が降ると、雨水の排水施設や処理場の容量をオーバーして洪水などの危険がある。このため、家屋の屋根に降る雨水を貯留することで、家屋内からの雨水の排出を減少させ、その雨水を有効活用することが求められている。
【０００３】
このような事情から、家屋に降った雨水を雨水貯水槽に一時貯溜したのち、洗車や植物の水やり等に有効利用するようになってきた。
【０００４】
家屋に降った雨水を雨水貯水槽に導入するための取水装置として、上下が開口された管体の内壁面に沿って、傾斜する案内溝を周設すると共に、該案内溝の下位部分に互いに連通する取水口を設けた雨水貯水槽用取水装置などが提案されている（特許文献１）。この雨水貯水槽用取水装置は堅樋の中間部分に設置するもので、堅樋を流下してきた雨水を取水して、雨水貯水槽に導くものである。通常、雨水は、堅樋の内壁面に沿って流下してくるので、雨水貯水槽用取水装置の内壁面に周設された案内溝によって効率よく取水することができる。
【０００５】
しかしながら、豪雨時のように雨量が非常に多いときには、雨水は堅樋内部を略いっぱいに使って閉塞しながら流下してくるため、上記案内溝が堰のような役割を果たし、堰止められた雨水が、堅樋と雨水貯水槽用取水装置との連結部分や取水装置内の連結部分等から溢れ出すことがあった。このような取水装置は、種々の堅樋と連結できるように、寸法に汎用性を持たせていることが多く、連結部分に隙間ができるので、相当量の雨水がその連結部分から溢れ出す恐れがあった。その対策として、連結部分にゴムパッキン等を装着するなどが考えられるが、施工が面倒となり、点検時の取り外しも面倒である。また、上記案内溝を周設すると雨水が流下する面積が小さくなるので、堅樋の排水量が減少する、という問題もある。
【特許文献１】実用新案登録第２５９１０８６号公報
【発明の開示】
【発明が解決しようとする課題】
【０００６】
本発明は上記の問題に鑑みてなされたもので、その解決しようとする課題は、堅樋の排水量を減少させることなく雨水を効率よく取水でき、雨量が多いときでも、堅樋との連結部分等から雨水が溢れ出す心配のない、取付けや点検時の取り外しが容易な取水装置を提供することにある。
【課題を解決するための手段】
【０００７】
上記目的を達成するため、本発明に係る取水装置は、上側の堅樋が差込み接続される上部接続口と、この上部接続口の下端に設けられた下広がりの筒部と、この下広がりの筒部の下端の差込み口とを一体に形成した上側部材と、下側の堅樋が差込み接続される下部接続口と、この下部接続口の上端に設けられた上広がりの筒部と、この上広がりの筒部の上端の差込み口とを一体に形成した下側部材と、内側に下広がりの筒部の内面に沿って流下する雨水を受ける環状溝部を一体に形成すると共に、この環状溝部に連通し且つ底面が環状溝部の底面より低い取水口部を外側に一体形成し、上側部材の差込み口と下側部材の差込み口が上下の開口部に差し込まれる中間部材と、からなることを特徴とするものである。
【００１０】
本発明の取水装置においては、環状溝部の内径が、堅樋の内径と同一、若しくはそれ以上であることが好ましい。そして、下広がりの筒部の広がり角度が、１５°〜４０°であることが好ましく、環状溝部の底面が、取水口部側で最も低くなるように形成されていることがより好ましい。また、環状溝部の取水口部側の底面に雨水抜き部を形成し、その外側に雨水溜壁を形成することがより好ましい。
【発明の効果】
【００１６】
本発明の取水装置は、通常の雨量のときには、下広がりの筒部の内面に沿って雨水が流下するので、直筒部の内側に設けられた環状溝部によって効率よく受水されて、相当量の雨水が雨水貯溜槽に導かれる。また、雨量が非常に多いときには、堅樋内いっぱいの雨水が、下広がりの筒部に沿って流下することなく直接下側の堅樋へと直下するので、環状溝部が堰のような抵抗となることがなく、雨水の流下・排出が容易となり、また環状溝部で雨水を殆ど受水しないので堅樋との接続部分等から雨水が溢れ出す心配がない。このように、雨水の溢れ出しの心配がないので、堅樋の途中に本発明の取水装置を設置しても、止水のためのゴムパッキン等が不要で、施工性が良好となる。また、取水口部の底面が環状溝部の取水口部側の底面より低いので、取水口部の底面と環状溝部の底面との間に段差が生じて取水速度を増やすことができ、雨水の滞留がなくスムーズに取水することができる。更に、上側部材と下側部材と中間部材の３分割とすることで、雨水を受水する環状溝部の成形が容易となる。また、取水装置の取付けや取り外しも簡単に行うことができるようになるので、取水装置内部のゴミ取り作業がやり易く、運搬性にも優れる。
【００１７】
また、環状溝部の内径が、堅樋の内径と同一、若しくはそれ以上である取水装置は、堅樋内を直下してくる雨水を受水することが殆どなくなり、雨水の流下が妨げられる心配がない。
【００１８】
更に、下広がりの筒部の広がり角度θが狭すぎる（小さすぎる）と、堅樋内部を満たして流下してくるような激しい雨水が、そのまま直下することなく、下広がりの筒部に沿って流下してしまうので環状溝部が抵抗となってしまったり、大量に環状溝部で受水して連結部等から溢れてしまう。また、上記のように環状溝部の内径を、堅樋の内径と同一、若しくはそれ以上にするためには、環状溝部が設けられる直筒部の内径をある一定以上確保しなければならず、そのように内径をある一定以上確保するには、下広がりの筒部を相当長く形成しなければならないので、取水装置全体が巨大化してしまい好ましくない。一方、広がり角度θが広すぎると、通常程度の雨量のときでも雨水が下広がりの筒部に沿って流下せず、そのまま直下してしまうので、結果として取水量が大幅に減少する。このような事情を考慮すると、下広がりの筒部の広がり角度が、１５°〜４０°である取水装置が好ましい。
【００１９】
また、環状溝部の底面が、取水口部側で最も低くなるように形成されている取水装置も、環状溝部で受水した雨水が溝部内に溜まることなく、確実に、且つ素早く取水口部に向って流れていき、取水口部から雨水貯溜槽に導かれる。
【００２１】
また、屋根面や軒樋内には普段ゴミやホコリが付着しているため、雨の降り始めには、それらのゴミを含んだ雨水が竪樋を流下してくることになる。しかし、環状溝部の取水口部側の底面に雨水抜き部を形成し、その外側に雨水溜壁を形成した取水装置は、降り始めのゴミが混じった少量の雨水は雨水溜壁に貯溜され、雨水貯溜槽側に流れることなく雨水抜き部から堅樋へと流下するので、きれいな雨水だけを雨水貯溜槽に送り込むことができる。
【発明を実施するための最良の形態】
【００２３】
以下、図面を参照して本発明の具体的な実施形態を詳述する。
【００２４】
図１は本発明の取水装置を竪樋と竪樋の間に取付けることによって構成される取水構造の概略説明図、図２は同構造の概略部分断面図、図３は通常量の降雨時の雨水の流下態様を示す概略説明断面図、図４は豪雨時の雨水の流下態様を示す概略説明断面図である。
【００２５】
図１に示す本発明の取水装置を竪樋と竪樋の間に取付けることによって構成される取水構造は、堅樋１を流下する雨水を取水し、導入管５を介して雨水貯溜槽Ｔに導入するためのもので、図２に示すように、堅樋１の途中に膨出部２が設けられ、その膨出部２内側に環状溝部３が設けられると共に、膨出部２の外側に環状溝部３と連通する取水口部４が設けられている。雨水貯溜槽Ｔに貯溜された雨水は、蛇口６から水を取り出して洗車や植物の水やり等に利用できるようになっている。
【００２６】
上記膨出部２は、図２に示すように、堅樋１の途中から断面積が徐々に大きくなっていく下広がりの筒部２ａと、その下広がりの筒部２ａと連なる断面積が堅樋１の断面積よりも大きくて、且つ、径が一定の直筒部２ｂと、更にその直筒部２ｂと連なって下方へ向って断面積が徐々に小さくなり、下端で堅樋１の断面積と等しくなる上広がりの筒部２ｃとからなり、該直筒部２ｂの内側に環状溝部３が設けられると共に、外側には取水口部４が設けられている。このように、膨出部２が下広がりの筒部２ａを有することで、堅樋１に沿って流下してきた雨水は、スムーズに下広がりの筒部２ａに移行し、更にその先に続く直筒部２ｂへと移行するので、その直筒部２ｂに設けられた環状溝部３によって効率よく受水される。また、取水口部４の先端部は、図１に示すように、ホースバンド５ａによって雨水貯溜槽Ｔへと雨水を導く導入管５と接続されており、その導入管５の下流側端部もホースバンド５ａによって雨水貯溜槽Ｔと接続されている。
【００２７】
上記環状溝部３は、直筒部２ｂの内周面から内側へ向って張り出すように周設された環状の溝で、その内径は、堅樋１の内径よりも大きくなるように形成されている。そして、この環状溝部３は、直筒部２ｂの外側に設けられた取水口部４と連通しており、受水した雨水は取水口部４へと流れていく。
尚、環状溝部３の内径は、堅樋１内部を直下するような激しい雨水を受水しないように、少なくとも堅樋１の内径と同一、好ましくはそれ以上に形成することが望ましい。
【００２８】
上記取水口部４の底面は、図２に示すように、環状溝部３の底面より低くなるように形成されており、これにより段差Ｓが形成される。このような段差Ｓが形成されると、その段差Ｓの分だけ雨水の排水速度を増やすことができる。
【００２９】
次に、上記取水構造の取水態様を説明する。
【００３０】
図３に示すように、雨樋の軒樋（不図示）から堅樋１へと流入してきた通常量の雨水Ｗ１は、堅樋１の内面に沿って流下してくる。このように流下してきた雨水Ｗ１は、下広がりの筒部２ａの内面から離れることなく沿うようにして直筒部２ｂへと流下するので、雨水Ｗ１は、その直筒部２ｂに設けられた環状溝部３によって効率よく受水されて取水口部４へと流れていく。
【００３１】
一方、豪雨時のように雨量が非常に多いときは、図４に示すように、雨水Ｗ２が堅樋１の内部を略満たして閉塞しながら流下してくる。このような豪雨時の雨水Ｗ２は、下広がりの筒部２ａに沿って広がることなく堅樋１を直下する。前述したように、上記環状溝部３の内径は堅樋１の内径よりも大きいので、直下するような激しい雨水Ｗ２は、環状溝部３によって受水されることがなく、環状溝部３が堰のように抵抗となって、雨水の流下が妨げられることはない。逆に、上記環状溝部３の内径が堅樋１の内径よりも小さいと、雨水の流下が妨げられ、特に豪雨時には雨水の滞留が起きて軒樋から水が溢れ出したり、大量の雨水が取水されることによって連結部等から雨水が溢れ出すことになるので好ましくない。
【００３２】
以上の説明から明らかなように、本発明の取水装置を竪樋と竪樋の間に取付けることによって構成される取水構造は、通常量の雨水Ｗ１は環状溝部３によって効率よく受水されて、雨水貯溜槽Ｔに導かれる。また、豪雨時の雨水Ｗ２は、下広がりの筒部２ａに沿って広がることなく直下し、環状溝部３が抵抗となることがないので、雨水Ｗ２の流下が妨げられたり、堅樋１の排水量が減少したりすることがない。
【００３３】
次に、前述した取水構造の長所を備えた取水装置について説明する。
【００３４】
図５は本発明の一実施形態に係る取水装置を示す分解正面図、図６は同取水装置の構成部材である上側部材の平面図、図７は図４のＡ−Ａ断面図、図８は同取水装置の構成部材である中間部材の平面図、図９は図６のＢ−Ｂ断面図、図１０は同取水装置の断面図、図１１は同取水装置の取付け方法及び取り外し方法を説明する概略説明図である。
【００３５】
本発明の取水装置２０は、図５に示すように、上側部材２１と、下側部材２３と、その上側部材２１と下側部材２３の間に挟まれる中間部材２２とからなる合成樹脂製の取水装置であって、図１０に示すように、堅樋１と堅樋１の間に取付けられるものである。
【００３６】
上記上側部材２１は、図５、図１０に示すように、上側の堅樋１と接続される上部接続口２１ａと、前述した取水構造と同様の下広がりの筒部２ａと、中間部材２２に差し込むための差込み口２１ｂとを一体に形成したものであり、本実施形態の堅樋１の形状（四隅を面取りした四角筒で、角樋と通称される）に合わせて、上部接続口２１ａも、図６に示すように、その堅樋１を接続できるように四隅を面取りした四角形をしている。
【００３７】
上側部材２１の下広がりの筒部２ａは、図７に示すように、前述した取水構造の下広がりの筒部２ａと同様、上部接続口２１ａの下端から下方へ向って徐々に下広がりとなるように形成されたもので、上部接続口２１ａの形状に合わせて四隅が面取りされた台形筒となっている。一般に、この下広がりの筒部２ａの広がり角度θは、狭い（小さい）ほうが下広がりの筒部２ａの内面に沿って雨水が流下し易い。逆にいえば広がり角度θを大きく設定すると、雨水が下広がりの筒部２ａの内面に沿うことなく、下側部材２３まで直下してしまう。このような広がり角度θと雨量との関係が、雨水の流下にどのような影響を与えるのかを調べる実験を行った。
【００３８】
【表１】
0005314863.tif 000002
【００３９】
気象庁の基準では、０．５リットル／ｓｅｃは強い雨に、１リットル／ｓｅｃは非常に激しい雨に、２リットル／ｓｅｃは猛烈な雨に分類される。本実験では、上記気象庁の基準を参照して、０．１リットル／ｓｅｃの雨量を通常の雨と設定した。
実験の結果、広がり角度θを４５°以上に設定すると、通常の雨（０．１リットル／ｓｅｃ）程度でも、雨水は下広がりの筒部２ａ内面に沿うことなく下側部材２３まで直下してしまうことがわかった。また、広がり角度θを１０°に設定すると、猛烈な雨（２リットル／ｓｅｃ）でも、雨水は下広がりの筒部２ａ内面から離れることなく流下することがわかった。本発明の取水装置２０は、効率よく雨水を取水すると共に、雨水の溢れ出しや堅樋１の排水量の減少防止を目的としたものなので、通常の雨量のときは効率よく取水し、豪雨時のように取水すると堅樋１と上部接続口２１ａの接続部分から水が溢れ出す恐れのあるときには、敢えて取水しないようにする必要がある。本実験によって、非常に強い雨のときや、猛烈な雨のときには、堅樋１と上部接続口２１ａの接続部分から雨水が溢れ出す恐れが生じることもわかった。このことを考慮すると、通常の雨のとき、更にいえば強い雨程度のときは取水することが好ましく、非常に激しい雨や猛烈な雨のときは取水しないことが好ましい。従って、広がり角度θは１５°〜４０°の範囲に設定することが好ましく、特に２０°〜３０°の範囲が好ましいので、本実施形態の取水装置２０は、広がり角度θを２２．６°と設定している。
【００４０】
また、下広がりの筒部２ａの下端に形成された差込み口２１ｂは、図５、図７、図１０に示すように、中間部材２２の上部開口（受け口）２２ａに差し込んで、中間部材２２と連結するようになっている。中間部材２２に接続すると、差込み口２１ｂの下端が、中間部材２２の略中間地点に位置することになるので、取水口部４を塞いで雨水の流れを妨げないように、半円形の開口部２１ｃが形成されている。この半円形の開口部２１ｃは、中間部材２２との接続作業性を向上させるため、上側部材２１を９０°或いは、１８０°回転させて中間部材２２と接続しても、取水口部４を塞ぐことのないように、前側面、後側面、右側面、左側面の４面に形成されている。
【００４１】
一方、下側の堅樋１と接続される下側部材２３は、図５、図１０に示すように、下側の堅樋１と接続される下部接続口２３ａと、上広がりの筒部２ｃと、中間部材２２に差し込むために上広がりの筒部２ｃの上端に形成された差込み口２３ｂとを一体に形成したもので、上記上側部材２１と同様に、四隅が面取りされた四角形をしている。前述した上部接続口２１ａが上側の堅樋１を内嵌合するのに対して、この下部接続口２３ａは、下側の堅樋１を外嵌合するものであるから、下部接続口２３ａの内径は、上部接続口２１ａの内径よりも小さい。
【００４２】
上記下側部材２３の上広がりの筒部２ｃは、前述した取水構造の上広がりの筒部２ｃと同様のもので、その広がり角度は、下広がりの筒部２ａの広がり角度θと等しくなるように形成されている。前述した下広がりの筒部２ａの広がり角度θは、雨水の流路を決定するのに非常に重要であったが、この上広がりの筒部２ｃの広がり角度は、中間部材２２の内面に沿って流下してきた雨水が、上広がりの筒部２ｃ内面にぶつかって、水の流れが破壊されない程度に緩やかに傾斜していれば、特に限定されるものではない。
【００４３】
上記上側部材２１と下側部材２３の間に取付けられる中間部材２２は、前述した取水構造の直筒部２ｂに相当する角筒体で、図５、図９、図１０に示すように、径が一定の直筒部２ｂと、上側部材２１の差込み口２１ｂを外嵌合する上部開口２２ａと、下側部材２３の差込み口２３ｂを外嵌合する下部開口２２ｂとからなる。この中間部材２２の内側には環状溝部３が一体に形成されており、外側には環状溝部３に連通する取水口部４が一体に形成されている。
【００４４】
尚、本実施形態では上側部材２１の下端に差込み口２１ｂを設け、中間部材２２の上端に上部開口２２ａ（受け口）を形成している。このように竪樋１の中間に何らかの部材を接続する場合は接続の上側（上流側）下端を差込み口とし、下側（下流側）上端を受け口とすることが多い。しかし、本実施形態のように上側部材２１の下端に差込み口２１ｂを、中間部材２２の上端に上部開口２２ａ（受け口）を形成することで、上側部材２１と中間部材２２の接続部に生じるラインが中間部材２２の外壁の中間部分に現れることないため、装置２０の外観をシンプルにすることができる。
【００４５】
図１０に示すように、上記環状溝部３の内径は、前述した取水構造と同様に、堅樋１内を直下してくる雨水を受水することがないよう、堅樋１の内径よりも大きく形成されている。この環状溝部３の内径は堅樋１の内径によって変化するものであるが、堅樋１の内径よりも遥かに大きくしてしまうと、その分だけ直筒部２ｂが大きくなってしまい、取水装置２０全体が巨大化して好ましくない。従って、本実施形態のように、堅樋１の内径を３７．６ｍｍに設定すると、環状溝部３の内径は４４．４ｍｍ、即ち、堅樋１との間に３．４ｍｍ程度の隙間ができるように環状溝部３の内径を設定するのが好ましい。
【００４６】
また、上記環状溝部３は、図９に示すように、その底面が取水口部４側（右側）で最も低く、その反対側（左側）で最も高くなるように形成されている。そして、それら右側と左側の底面を連結する前後の底面が傾斜している。これにより、環状溝部３で受水した雨水が溝部３内に溜まることなく、確実に取水口部４に向って流れていくようになっている。この傾斜は、緩すぎると雨水が環状溝部内３に溜まってしまうので、０．５／１００勾配以上、好ましくは０．５／１００〜５／１００勾配にするのがよい。
尚、本実施例では環状溝部３の右側と左側の底面を水平にし、それらを連結する前後の底面を傾斜させているが、取水口部４近傍の底面を最も低くし、その対向する部分の底面を高くしていれば、環状溝部３の全周で均一に傾斜させてもよい。また、本実施例の環状溝部３は全周でつながって形成されているが、取水口部４の対向する底面の最も高い部分で途切れていても問題はない。
【００４７】
また、この環状溝部３の取水口部４側（最も低い右側）の底面には、水抜き孔である雨水抜き部３ｂが穿孔されており、雨水抜き部３ｂの外側には雨水溜壁３ａが立設されている。これにより、降り始めのゴミが混じった少量の雨水は、雨水貯溜槽Ｔに流れていくことなく雨水溜壁３ａに貯溜され、雨水抜き部３ｂから下側の堅樋１へと流下するので、きれいな雨水だけを雨水貯溜槽Ｔに送り込むことができるようになっている。
尚、この雨水抜き部３ｂは、降り始めのゴミが混じった少量の雨水を雨水貯溜槽Ｔに送り込むことなく、下側の堅樋１に流下させるようにしたものであれば、孔に限定されるものではなく、例えば、環状溝部３の壁面を一部切欠いたスリット状のものでもよい。また、雨水抜き部３ｂの直径が大き過ぎると、受水した雨水の殆どがその雨水抜き部３ｂから流下してしまうので、３ｍｍ程度の孔径にすることが好ましい。
【００４８】
上記環状溝部３に連通する取水口部４は、環状溝部３で受水した雨水を雨水貯溜槽Ｔに送り込むための排水口で、図９に示すように、その底面は、環状溝部３の取水口部４側（右側）の底面より低くなるように形成されている。これによって、前述した取水構造と同様に、取水口部４の底面と環状溝部３の底面から突設された雨水溜壁３ａとの間に段差Ｓを生じるので、その段差Ｓの面積分だけ排水速度を増やすことができる。そして、取水口部４の外周には、導入管５との連結の際に、取水口部４を適当な深さで導入管に挿入できるようにホースストッパー４ａが形成されている。また、取水口部４上面には、導入管５内で水膜が生じて雨水貯溜槽Ｔへの取水が妨げられることがないように、空気孔４ｂが穿孔されている。
【００４９】
以上のような構成の取水装置２０の寸法は、堅樋１の寸法によって様々に変化するもので特に限定はされないが、本実施形態のように、堅樋１の内径が３７．６ｍｍであると、上側部材２１の下広がりの筒部２ａの上下の長さが２７.１ｍｍで、堅樋１から１３．４ｍｍ外側に出っ張った中間部材２２を有するものが好適に使用される。
尚、本実施例では角樋に用いられる水平断面が略四角形の取水装置を示したが、丸樋（断面が丸形状の竪樋）に適用させるためには各部材の水平断面を円形に形成すればよい。また、デザインの観点から、丸樋用の取水装置の場合で上側部材２１の接続口２１ａと下側部材２３の差込み口２３ｂを水平断面を円形状にする必要があるが、下広がりの筒部２ａから上広がりの筒部２ｃにかけての部分の水平断面を多角形状にしたり、角樋用の場合でも下広がりの筒部２ａから上広がりの筒部２ｃにかけての部分を円形状や多角形状にするなど、適宜形状を変更してもよい。
【００５０】
また、上記取水装置２０は、取付け、取り外し作業を考慮して、通常、中間部材２２と下側部材２３だけを接着剤で接続し（中間部材２２と下側部材２３は必要がなければ接着しなくてもよい）、他の部分（上側の堅樋１と上側部材２１、上側部材２１と中間部材２２、下側部材２３と下側の堅樋１）は嵌合させるのみで接続される。次に、その取水装置２０の取り外しの方法を説明する。
【００５１】
図１１に示すように、先ず、上側部材２１を堅樋１に沿わしながら上方へスライドさせる（イ）。次に、中間部材２２、下側部材２３を堅樋１上方へスライドさせて堅樋１から取り外す（ロ）。そして、上側部材２１を下方へスライドさせて堅樋１から取り外す（ハ）。取付け作業はこの逆の手順（ハ→ロ→イ）で行う。このように、本発明の取水装置２０は、取り外し、取付け作業が容易であるので、取水装置２０内部のゴミ取り作業が行いやすい。
【００５２】
以上の説明から明らかなように、本発明の取水装置２０も、前述した取水構造と同様に、通常量の雨水は効率よく取水されて雨水貯溜槽Ｔに導かれ、激しい雨でも、堅樋１と上部接続口２１ａの接続部分等から雨水が溢れ出す心配がないので、止水のためのゴムパッキン等が不要となり、施工性がよい。また、上側部材２１と下側部材２２と中間部材２３の３分割とすることで、環状溝部３の成形が容易となり、取付けや取り外し作業も簡単に行うことができるので、取水装置内部のゴミ取り作業がやり易くなり、運搬性にも優れる、といった顕著な効果を奏する。
【図面の簡単な説明】
【００５３】
【図１】本発明の取水装置を竪樋と竪樋の間に取付けることによって構成される取水構造の概略説明図である。
【図２】同構造の概略部分断面図である。
【図３】通常量の降雨時の雨水の流下態様を示す概略説明断面図である。
【図４】豪雨時の雨水の流下態様を示す概略説明断面図である。
【図５】本発明の一実施形態に係る取水装置を示す分解正面図である。
【図６】同取水装置の構成部材である上側部材の平面図である。
【図７】図４のＡ−Ａ断面図である。
【図８】同取水装置の構成部材である中間部材の平面図である。
【図９】図６のＢ−Ｂ断面図である。
【図１０】同取水装置の断面図である。
【図１１】同取水装置の取付け方法及び取り外し方法を説明する概略説明図である。
【符号の説明】
【００５４】
１    堅樋
２    膨出部
２ａ  下広がりの筒部
２ｂ  直筒部
２ｃ  上広がりの筒部
２０  取水装置
２１  上側部材
２１ａ  上部接続口
２１ｂ  差込み口
２２  中間部材
２３  下側部材
３    環状溝部
３ａ  雨水溜壁
３ｂ  雨水抜き部
４    取水口部
５    導入管
Ｔ    雨水貯溜槽
【図１】
0005314863.tif 000003
【図２】
0005314863.tif 000004
【図３】
0005314863.tif 000005
【図４】
0005314863.tif 000006
【図５】
0005314863.tif 000007
【図６】
0005314863.tif 000008
【図７】
0005314863.tif 000009
【図８】
0005314863.tif 000010
【図９】
0005314863.tif 000011
【図１０】
0005314863.tif 000012
【図１１】
0005314863.tif 000013